【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
ネットワークを介して受信したオブジェクトを表示するためのブラウザを備える画像形成装置であって、
前記ブラウザを用いて表示されたオブジェクトが格納されていたネットワーク上の格納場所を特定するＵＲＩ情報を保存する保存手段と、
前記保存手段に保存されたＵＲＩ情報により特定された格納場所に、前記オブジェクトが格納されているか否かを判断する判断手段と、
前記判断手段において前記オブジェクトが前記ＵＲＩ情報により特定された格納場所に格納されていないと判断した場合に、前記保存手段に保存されているＵＲＩ情報について印刷する印刷手段と、
を備えることを特徴とする画像形成装置。
【請求項２】
前記判断手段が、前記保存手段に保存されたＵＲＩ情報により特定された格納場所とは異なる格納場所に前記オブジェクトが格納されていると判断した場合に、前記保存手段は、該異なる格納場所を示すＵＲＩ情報を新たに保存することを特徴とする請求項１に記載の画像形成装置。
【請求項３】
前記判断手段において前記オブジェクトが前記ＵＲＩ情報により特定された格納場所に格納されていないと判断した場合に、該ＵＲＩ情報の削除を行うか否かをユーザに問い合わせる第１の問い合わせ手段と、
ユーザより該ＵＲＩ情報を削除すべき旨の指示を受け付けた場合に、前記保存手段に保存されている該ＵＲＩ情報を削除する削除手段と
をさらに備えることを特徴とする請求項１に記載の画像形成装置。
【請求項４】
前記判断手段が、前記保存手段に保存されたＵＲＩ情報により特定された格納場所とは異なる格納場所に前記オブジェクトが格納されていると判断した場合に、該ＵＲＩ情報の更新を行うか否かをユーザに問い合わせる第２の問い合わせ手段を更に備え、
ユーザより該ＵＲＩ情報を更新すべき旨の指示を受け付けた場合に、前記保存手段は、該異なる格納場所を示すＵＲＩ情報を新たに保存することを特徴とする請求項２に記載の画像形成装置。
【請求項５】
前記保存手段は、更に、前記ＵＲＩ情報と、該ＵＲＩ情報により特定される格納場所に格納されたオブジェクトとを対応付けて保存することを特徴とする請求項１に記載の画像形成装置。
【請求項６】
前記印刷手段は、前記ＵＲＩ情報と、該ＵＲＩ情報に対応付けて保存されたオブジェクトとを印刷することを特徴とする請求項５に記載の画像形成装置。
【請求項７】
前記保存手段は、更に、前記異なる格納場所を示すＵＲＩ情報を新たに保存するに際して、該ＵＲＩ情報と、該ＵＲＩ情報により特定される格納場所に格納されたオブジェクトとを対応付けて保存することを特徴とする請求項２に記載の画像形成装置。
【請求項８】
前記印刷手段によりＵＲＩ情報と該ＵＲＩ情報に対応付けて保存されたオブジェクトとが印刷され、ユーザにより所定の情報が書き込まれたドキュメントを読み込む読込手段を更に備えることを特徴とする請求項６に記載の画像形成装置。
【請求項９】
前記読込手段により読み込まれた前記ドキュメントに基づいて、前記保存手段に保存されているＵＲＩ情報を削除する削除手段を更に備えることを特徴とする請求項８に記載の画像形成装置。
【請求項１０】
前記読込手段により読み込まれた前記ドキュメントに基づいて、前記保存手段は、ＵＲＩ情報を新たに保存することを特徴とする請求項８に記載の画像形成装置。
【請求項１１】
前記印刷手段は、更に、前記読込手段により読み込み可能な期限と、ユーザ情報と、画像形成装置の識別情報とをあわせて印刷することを特徴とする請求項８に記載の画像形成装置。
【請求項１２】
ネットワークを介して受信したオブジェクトを表示するためのブラウザを備える画像形成装置における情報処理方法であって、
前記ブラウザを用いて表示されたオブジェクトが格納されていたネットワーク上の格納場所を特定するＵＲＩ情報を保存手段に保存する保存工程と、
前記保存工程において保存されたＵＲＩ情報により特定された格納場所に、前記オブジェクトが格納されているか否かを判断する判断工程と、
前記判断工程において前記オブジェクトが前記ＵＲＩ情報により特定された格納場所に格納されていないと判断した場合に、前記保存手段に保存されているＵＲＩ情報を印刷する印刷工程と
を備えることを特徴とする情報処理方法。
【請求項１３】
前記判断工程が、前記保存手段に保存されたＵＲＩ情報により特定された格納場所とは異なる格納場所に前記オブジェクトが格納されていると判断した場合に、前記保存工程は、該異なる格納場所を示すＵＲＩ情報を新たに保存することを特徴とする請求項１２に記載の情報処理方法。
【請求項１４】
画像形成装置であって、
入力されたＵＲＩ情報によって特定される場所に格納されているオブジェクトを取得する取得手段と、
前記取得手段によって取得されたオブジェクトを印刷する印刷手段と、
前記ＵＲＩ情報を保存する保存手段と、
前記オブジェクトが格納されている場所を特定するＵＲＩ情報が、前記保存手段に保存されているＵＲＩ情報から変更されているか否かを判断する判断手段と、
前記判断手段によって変更されていると判断された場合、前記保存手段に保存されているＵＲＩ情報を変更するか否かを問い合わせるメッセージを出力する出力手段と
を備えることを特徴とする画像形成装置。
【請求項１５】
前記出力手段は、前記メッセージが書かれたレポートを印刷することを特徴とする請求項１４に記載の画像形成装置。
【請求項１６】
前記保存手段に保存されているＵＲＩ情報を変更する指示を入力する入力手段と、
前記入力手段によって入力された指示に応じて前記保存手段に保存されているＵＲＩ情報を変更する変更手段と
を更に備えることを特徴とする請求項１４又は１５に記載の画像形成装置。
【請求項１７】
前記取得手段によって取得されたオブジェクトに対応する画像を表示する表示手段を更に有し、
前記出力手段は、前記表示手段によって表示された画像を出力することを特徴とする請求項１４乃至１６の何れか１項に記載の画像形成装置。
【請求項１８】
前記出力手段は、前記表示手段によって表示された画像と、変更されたＵＲＩ情報によって特定される場所に格納されているオブジェクトに対応する画像とを出力することを特徴とする請求項１７に記載の画像形成装置。
【請求項１９】
画像形成装置であって、
入力されたＵＲＩ情報によって特定される場所に格納されているオブジェクトを取得する取得手段と、
前記取得手段によって取得されたオブジェクトを印刷する印刷手段と、
前記ＵＲＩ情報を保存する保存手段と、
前記保存手段に保存されているＵＲＩ情報によって特定される場所に前記オブジェクトが存在するか否かを判断する判断手段と、
前記判断手段によって存在しないと判断された場合、前記保存手段に保存されているＵＲＩ情報を削除するか否かを問い合わせるメッセージを出力する出力手段と
を備えることを特徴とする画像形成装置。
【請求項２０】
前記出力手段は、前記メッセージが書かれたレポートを印刷することを特徴とする請求項１９に記載の画像形成装置。
【請求項２１】
前記保存手段に保存されているＵＲＩ情報を削除する指示を入力する入力手段と、
前記入力手段によって入力された指示に応じて前記保存手段に保存されているＵＲＩ情報を削除する削除手段と
を更に備えることを特徴とする請求項１９又は２０に記載の画像形成装置。
【請求項２２】
前記取得手段によって取得されたオブジェクトに対応する画像を表示する表示手段を更に有し、
前記出力手段は、前記表示手段によって表示された画像を出力することを特徴とする請求項１９乃至２１の何れか１項に記載の画像形成装置。
【請求項２３】
ネットワークを介して受信したオブジェクトを表示するためのブラウザを備える画像形成装置であって、
前記ブラウザを用いて表示されたオブジェクトに対応するＵＲＩ情報を保存する保存手段と、
前記保存手段に保存されたＵＲＩ情報が有効であるかを判断する判断手段と、
前記判断手段において前記ＵＲＩ情報が有効であると判断されなかった場合、前記ＵＲＩ情報が有効でないことを示すレポートを印刷する印刷手段と、
前記印刷手段で印刷されたレポートによって示されたＵＲＩ情報を削除するか又は更新するかを指示するレポートを読み取る読み取り手段と、
前記読み取り手段によって読み取られたレポートの指示に応じて、前記ＵＲＩ情報の削除又は更新を実行させる制御手段と
を備えることを特徴とする画像形成装置。
【請求項２４】
前記読み取り手段によって読み取られたレポートの正当性を判断する第二の判断手段を更に有し、
前記制御手段は、前記判断手段によって正当であると判断された場合、前記ＵＲＩ情報の削除又は更新を実行させることを特徴とする請求項２３に記載の画像形成装置。
【請求項２５】
前記判断手段は、前記読み取り手段によって読み取られたレポートが有効期限内か否か、画像形成装置にログインしたユーザとレポートに記載されているユーザが同一か否か、前記印刷手段によって印刷されたレポートの枚数と前記読み取り手段によって読み取られたレポートの枚数が同じか否か、のうちの少なくともいずれかを判断することによって、正当性を判断することを特徴とする請求項２３又は２４に記載の画像形成装置。
【請求項２６】
情報処理方法であって、
入力されたＵＲＩ情報によって特定される場所に格納されているオブジェクトを取得する取得ステップと、
前記取得ステップによって取得されたオブジェクトを印刷する印刷ステップと、
前記ＵＲＩ情報を保存手段に保存する保存ステップと、
前記オブジェクトが格納されている場所を特定するＵＲＩ情報が、前記保存手段に保存されているＵＲＩ情報から変更されているか否かを判断する判断ステップと、
前記判断ステップによって変更されていると判断された場合、前記保存手段に保存されているＵＲＩ情報を変更するか否かを問い合わせるメッセージを出力する出力ステップと
を備えることを特徴とする情報処理方法。
【請求項２７】
情報処理方法であって、
入力されたＵＲＩ情報によって特定される場所に格納されているオブジェクトを取得する取得ステップと、
前記取得ステップによって取得されたオブジェクトを印刷する印刷ステップと、
前記ＵＲＩ情報を保存手段に保存する保存ステップと、
前記保存手段に保存されているＵＲＩ情報によって特定される場所に前記オブジェクトが存在するか否かを判断する判断ステップと、
前記判断ステップによって存在しないと判断された場合、前記保存手段に保存されているＵＲＩ情報を削除するか否かを問い合わせるメッセージを出力する出力ステップと
を備えることを特徴とする情報処理方法。
【請求項２８】
ネットワークを介して受信したオブジェクトを表示するためのブラウザを備える画像形成装置における情報処理方法であって、
前記ブラウザを用いて表示されたオブジェクトに対応するＵＲＩ情報を保存手段に保存する保存ステップと、
前記保存手段に保存されているＵＲＩ情報が有効であるかを判断する判断ステップと、
前記判断ステップにおいて前記ＵＲＩ情報が有効であると判断されなかった場合、前記ＵＲＩ情報が有効でないことを示すレポートを印刷する印刷ステップと、
前記印刷ステップで印刷されたレポートによって示されたＵＲＩ情報を削除するか又は更新するかを指示するレポートを読み取る読み取りステップと、
前記読み取りステップによって読み取られたレポートの指示に応じて、前記ＵＲＩ情報の削除又は更新を実行させる制御ステップと
を備えることを特徴とする情報処理方法。
【請求項２９】
請求項１２、１３、２６、２７、２８の何れか１項に記載の情報処理方法をコンピュータによって実行させるための制御プログラム。
【手続補正２】
【補正対象書類名】明細書
【補正対象項目名】００１０
【補正方法】変更
【補正の内容】
【００１０】
そこで本発明は、所定のＵＲＩ情報を予め登録しておくことで当該ＵＲＩへのアクセスを容易にさせるショートカット機能を備えるブラウザが組み込まれた画像形成装置において、上記ショートカット機能を利用する上でのユーザの利便性の向上を図ることを目的とする。
【手続補正３】
【補正対象書類名】明細書
【補正対象項目名】００１２
【補正方法】変更
【補正の内容】
【００１２】
本発明によれば、所定のＵＲＩ情報を予め登録しておくことで当該ＵＲＩへのアクセスを容易にさせるショートカット機能を備えるブラウザが組み込まれた画像形成装置において、上記ショートカット機能を利用する上でのユーザの利便性が向上する。